(57)【要約】【課題】優れたグリップ力が得られるとともに、ゴルフスイングフォームの向上に寄与することができるゴルフシューズ用ソールおよびそれを用いたゴルフシューズを提供する。【解決手段】ソール本体１２の底面の前足・中足部１４および後足部２２の内側部分に断面略円弧状または断面略楕円弧状の前側凹部１６および後側凹部２４をそれぞれ形成する。また、前側凹部および後側凹部の周縁部にこの周縁部から連続した状態で前側凸部１８および後側凸部２６をそれぞれ連続的または間欠的に形成する。さらに、ソール本体の底面の前側凸部および後側凸部の内方に前側滑り止め突起２０および後側滑り止め突起２８をそれぞれ配置する。【選択図】図１
2008212532.tif 000002
【特許請求の範囲】
【請求項１】
ソール本体の底面の前足・中足部および後足部の内側部分に断面略円弧状または断面略楕円弧状の前側凹部および後側凹部がそれぞれ形成され、かつ、前記前側凹部および後側凹部の周縁部に該周縁部から連続した状態で前側凸部および後側凸部がそれぞれ連続的または間欠的に形成されているとともに、ソール本体の底面の前記前側凸部および後側凸部の内方に前側滑り止め突起および後側滑り止め突起がそれぞれ配置されていることを特徴とするゴルフシューズ用ソール。
【請求項２】
前記前側凹部および後側凹部はいずれも底面視楕円状であることを特徴とする請求項１に記載のゴルフシューズ用ソール。
【請求項３】
前記前側凹部および後側凹部の最も深い部分の底面は、ソール本体のベース面よりも上方に位置していることを特徴とする請求項１または２に記載のゴルフシューズ用ソール。
【請求項４】
前記前側滑り止め突起および後側滑り止め突起の底面は、前記前側凸部および後側凸部の底面よりも上方に位置していることを特徴とする請求項１〜３のいずれか１項に記載のゴルフシューズ用ソール。
【請求項５】
ソール本体の底面の前足・中足部および後足部の外側部分に、前記前側凸部および後側凸部よりも硬度の高い高硬度滑り止め突起を配置したことを特徴とする請求項１〜４のいずれか１項に記載のゴルフシューズ用ソール。
【請求項６】
請求項１〜５のいずれか１項に記載のゴルフシューズ用ソールを装着したことを特徴とするゴルフシューズ。
【発明の詳細な説明】
【技術分野】
【０００１】
本発明は、ゴルフシューズ用ソールおよびそれを用いたゴルフシューズに関する。
【背景技術】
【０００２】
ゴルフシューズに必要とされる機能として地面のグリップ力が挙げられ、歩行やスイングの特性に応じて上記グリップ力を高めるための様々な工夫がなされている。例えば、特許文献１、２には、ソールの踏み付け部に窪みを設けてグリップ力を向上させたソールが開示されている。
【０００３】
【特許文献１】特開平８−１８２５０５号公報
【特許文献２】特開平９−２３８７０５号公報
【発明の開示】
【発明が解決しようとする課題】
【０００４】
しかし、特許文献１、２のゴルフシューズ用ソールは、良好なグリップ力は得られるものの、ゴルフスイングフォームの向上に寄与するものではなかった。
【０００５】
本発明は、前述した事情に鑑みてなされたもので、優れたグリップ力が得られるとともに、ゴルフスイングフォームの向上に寄与することができるゴルフシューズ用ソールおよびそれを用いたゴルフシューズを提供することを目的とする。
【課題を解決するための手段】
【０００６】
本発明者らは、前記目的を達成するために、ゴルフスイングフォームにおいて体重が外側に流れるいわゆるスウェーと呼ばれる動きがミスショットにつながることに着目し、このスウェーと呼ばれる動きを抑制することができるゴルフシューズ用ソールの研究を行った。
【０００７】
本発明は、上記研究の結果なされたもので、ソール本体の底面の前足・中足部および後足部の内側部分に断面略円弧状または断面略楕円弧状の前側凹部および後側凹部がそれぞれ形成され、かつ、前記前側凹部および後側凹部の周縁部に該周縁部から連続した状態で前側凸部および後側凸部がそれぞれ連続的または間欠的に形成されているとともに、ソール本体の底面の前記前側凸部および後側凸部の内方に前側滑り止め突起および後側滑り止め突起がそれぞれ配置されていることを特徴とするゴルフシューズ用ソールを提供する。
【０００８】
本発明のゴルフシューズ用ソールは、ゴルフスイング時、特にインパクト時に前側凹部および後側凹部に体重が加わると、前側凹部および後側凹部のドーム形状がしなるように変形することで両足が略内側荷重になり、その結果スウェーを防ぐことができる。また、上記変形に伴って、前側凸部および後側凸部にこれらが地面に刺さるように力が加わるため、局部的なグリップ力が向上する。
【０００９】
以下、本発明につきさらに詳しく説明する。本発明において用いるソール本体としては、単層構造のものでもよく、アウトソールとミッドソールとからなる２層構造のソール等の複層構造のものでもよい。単層構造のソールの材質としては、例えば、発泡ゴム、非発泡ゴム、サーモプラスチックウレタン、ナイロン等を使用することができるが、これらに限定されるものではない。上記２層構造のソールにおけるアウトソールの材質としては、例えば、発泡ゴム、非発泡ゴム、サーモプラスチックウレタン、ナイロン等を使用することができ、ミッドソールの材質としては、例えば、発泡ゴム、発泡プラスチックといった弾性発泡体等を使用することができるが、これらに限定されるものではない。
【００１０】
本発明では、上述したソール本体の底面箇所のうち、前足・中足部の内側部分に単数または複数の前側凹部を形成し、後足部の内側部分に単数または複数の後側凹部を形成する。前側凸部および後側凹部の最も深い部分の底面は、ソール本体のベース面よりも上方に位置させることが適当であり、これにより前述した前側凹部および後側凹部のドーム形状の変形が良好に行われる。ソール本体のベース面とは、ソール本体の底面の各種突起が設けられていない面である。上記前側凸部および後側凹部の最も深い部分の底面と、ソール本体のベース面との間の距離（後記のｍの値）は２〜８ｍｍとすることが、上記変形が良好に行われる点で好ましい。また、前側凹部および後側凹部はいずれも底面視楕円状とすることが、スウェー防止およびグリップ力向上の点で適当である。
【００１１】
本発明では、前側凹部の周縁部にこの周縁部から連続した状態で前側凸部を形成し、後側凹部の周縁部にこの周縁部から連続した状態で後側凸部を形成する。前側凸部および後側凸部の幅（後記のｎの値）は２〜６ｍｍとすることが、スウェー防止およびグリップ力向上の点で好ましい。
【００１２】
本発明では、ソール本体の底面の前側凸部の内方に単数または複数の前側滑り止め突起を配置し、後側凸部の内方に単数または複数の後側滑り止め突起を配置する。前側滑り止め突起および後側滑り止め突起は、前述した金属製スパイク、プラスチック製ソフトスパイク、ラバーポイント等の任意のものとすることができる。また、前側滑り止め突起および後側滑り止め突起の底面は、前側凸部および後側凸部の底面よりも上方に位置させることが適当であり、これにより前側凹部および後側凹部のドーム形状が変形した段階で前側滑り止め突起および後側滑り止め突起の底面が接地するようになり、スウェー防止およびグリップ力向上がより効果的に行われる。前側滑り止め突起および後側滑り止め突起の底面と、前側凸部および後側凸部の底面との間の距離（後記のｋの値）は１〜３ｍｍとすることが、上記効果を得る点で好ましい。
【００１３】
本発明では、ソール本体の底面の前足・中足部および後足部の外側部分に、前側凸部および後側凸部よりも硬度が高く、前側凸部および後側凸部よりも変形しにくい高硬度滑り止め突起を配置することができる。このようにすると、スウェー防止およびグリップ力向上がより効果的に行われる。
【００１４】
なお、ソール本体の底面の上述した各種突起、すなわち前側凸部、後側凸部、前側滑り止め突起、後側滑り止め突起および高硬度滑り止め突起を配置していない部分には、金属製スパイク、プラスチック製ソフトスパイク、ラバーポイント等の滑り止め突起を適宜設けることができる。
【発明の効果】
【００１５】
本発明のゴルフシューズ用ソールおよびゴルフシューズは、優れたグリップ力が得られるとともに、スウェーを抑制してゴルフスイングフォームの向上に寄与するものである。
【発明を実施するための最良の形態】
【００１６】
以下、本発明の実施の形態を図面を参照して説明するが、本発明は下記例に限定されるものではない。図１は本発明の一実施形態に係るゴルフシューズ用ソールを示す概略底面図、図２は図１Ａ−Ａ線に沿った模式的断面図、図３は図１Ｂ−Ｂ線に沿った模式的断面図である。なお、図１は右足用ソールのみを示しているが、右足用ソールと左足用ソールとは左右対称である。
【００１７】
本例のゴルフシューズ用ソール１０のソール本体１２は、アウトソールとミッドソールとからなる２層構造（図示せず）のもので、土踏まず部には硬質プラスチックからなるプレート１４が固定されている。
【００１８】
ソール本体１２の底面の前足・中足部１４の内側部分（親指側部分）には、底面視略楕円状で断面略楕円弧状（ドーム形状）の前側凹部１６が形成されている。また、前側凹部１６の周縁部には、この周縁部から連続した状態で幅ｎが５ｍｍ程度の前側凸部１８がソール本体１２と一体に間欠的に形成されている。さらに、ソール本体１２の底面の前側凸部１８の内方には、２個の前側滑り止め突起２０が配置されている。
【００１９】
ソール本体１２の底面の後足部２２の内側部分（親指側部分）には、底面視略楕円状で断面略楕円弧状（ドーム形状）の後側凹部２４が形成されている。また、後側凹部２４の周縁部には、この周縁部から連続した状態で幅ｎが５ｍｍ程度の後側凸部２６がソール本体１２と一体に間欠的に形成されている。さらに、ソール本体１２の底面の後側凸部２６の内方には、１個の後側滑り止め突起２８が配置されている。
【００２０】
前側凹部１６および後側凹部２４の最も深い部分の底面３０は、ソール本体１２のベース面３２よりも上方に位置している。上記底面３０とベース面３２との間の距離ｍは５ｍｍ程度としてある。
【００２１】
上記前側滑り止め突起２０および後側滑り止め突起２８は、いずれもソール本体１２に固着されたラバーポイントである。前側滑り止め突起２０の底面３４は、前側凸部１８の底面３６よりも上方に位置し、後側滑り止め突起２８の底面３４は、後側凸部２６の底面３６よりも上方に位置している。両滑り止め突起２０、２８の底面３４と、両凸部１８、２６の底面３６との間の距離ｋは１ｍｍ程度としてある。なお、前側滑り止め突起２０および後側滑り止め突起２８の底面には突起が形成されているが、図示は省略する。
【００２２】
ソール本体１２の底面の前足・中足部１４および後足部２２の外側部分（小指側部分）には、前側凸部１８および後側凸部２６よりも硬度が高い複数の高硬度滑り止め突起３８が配置されている。高硬度滑り止め突起３８は、いずれもソール本体１２に固着されたラバーポイントである。なお、高硬度滑り止め突起３８の底面には突起が形成されているが、図示は省略する。
【００２３】
なお、本実施形態では、全ての前側凸部１８、後側凸部２６および高硬度滑り止め突起３８の底面の位置はほぼ等しくしてあり、全ての前側滑り止め突起２０および後側滑り止め突起２８の底面の位置はほぼ等しくしてある。
【００２４】
また、両ソール本体１２の底面の前足・中足部１４および後足部２２の上述した各種突起（前側凸部、後側凸部、前側滑り止め突起、後側滑り止め突起および高硬度滑り止め突起）が設けられていない部分には、多数の種々形状のラバーポイントがソール本体１２と一体に設けられているが、図示は省略する。
【００２５】
本実施形態のゴルフシューズ用ソールは、ゴルフスイング時、特にインパクト時に前側凹部１６および後側凹部２４に体重が加わると、前側凹部１６および後側凹部２４のドーム形状がしなるように変形することで両足が略内側荷重になり、その結果スウェーを防ぐことができる。また、上記変形に伴って、前側凸部１８および後側凸部２６にこれらが地面に刺さるように力が加わるため、局部的なグリップ力が向上する。
【００２６】
本発明のゴルフシューズ用ソールは、上記例に限定されるものではなく、種々の変更が可能である。例えば、本例では前側凹部および後側凹部をそれぞれ１個ずつ設けたが、いずれか一方または両方を複数個設けてもよい。
【図面の簡単な説明】
【００２７】
【図１】本発明の一実施形態に係るゴルフシューズ用ソールを示す概略底面図である。
【図２】図１Ａ−Ａ線に沿った模式的断面図である。
【図３】図１Ｂ−Ｂ線に沿った模式的断面図である。
【符号の説明】
【００２８】
１０  ゴルフシューズ用ソール
１２  ソール本体
１４  前足・中足部
１６  前側凹部
１８  前側凸部
２０  前側滑り止め突起
２２  後足部
２４  後側凹部
２６  後側凸部
２８  後側滑り止め突起
３８  高硬度滑り止め突起
【図１】
2008212532.tif 000003
【図２】
2008212532.tif 000004
【図３】
2008212532.tif 000005